(57)【要約】【課題】従来の日本的問題とする土地の有効利用法と、現代のニューズであるエコ問題に対処した、エコ回転住宅を提供する。【解決手段】地中に埋設された強固なポール（丸１）を中心に円形状の固定建家（丸４０）を配置し、その全荷重は前記ポール一点が支え、その外周に円形状のレール（丸３・４）を２本敷設し、複数の動輪付きの回転建家（丸４１）を配置し、移動させる事を特徴とする、エコ回転移動住宅。【選択図】図４
2012158967.tif 000002
【特許請求の範囲】
【請求項１】
地中に埋設された強固なポールを中心に円形状の固定建家を配置し、その全荷重はポール一点が支え、その外周に円形状のレールを２本敷設し、複数の動輪付きの回転建家を配置し、移動させる事を特徴とするエコ回転移動住宅。
【請求項２】
前記、ポール内部には自家用浄水装置を設け、敷地内に降雨した水や排水された水は、固定建家の床下に設置した円形の集水及び配線ピットに溜められ、その水は固定建家の屋根部分に設置された水槽に加圧ポンプにて揚水され、落下圧に委ねられた水は、自然と浄水装置を通過し濾過されながら地下水槽に蓄えられ、濾過された水は更に加圧ポンプにて、前記ポール上部に設けられた高架水槽に揚水され、飲み水以外の雑水として使用される事を特徴とするエコ回転住宅。
【発明の詳細な説明】
【技術分野】
【０００１】この発明は、エコ対策を主務とした個人住宅で、建家は回転と固定の建造物から成り立つものである。
（イ）回転建家は回転移動させる事により、床下の土地が有効利用出来るのである。
（ロ）固定建家の荷重を支えるポール内には、浄水装置を設け水の再生処理を行い、更に      前記建家の屋根は水処理水槽にするものである。
（ハ）前記、水槽の底は透明材を使用し太陽光線を室内へ透視させ、太陽の恵みを最大限      に利用するものである。
【背景技術】
【０００２】従来の姿は。
（イ）個人住宅は土地に密着していて、床下の土地は死んだ儘である。
（ロ）回転する建造物は、営利を目的とする娯楽施設や遊具に限れている。
（ハ）個人使用する水は購入するものとされている。
【発明の概要】
【発明が解決しようとする課題】
【０００４】従来は次の様な欠点があった。
（イ）住宅は土地に密着するものだと言う考えがあり、狭い日本の土地が有効利用されて      いかった。
（ロ）住宅は家系の宝とされ、先祖代々受け継ぐものと認識され、新しい発想が生まれて      来なかった。
そんな思いから、現代人としては見捨てる訳には行かず、本発明は以上の様な欠点を無くする為になされたものである。
【課題を解決するための手段】
【０００５】（イ）地中に埋設された強固なポール（丸１）を中心に、円形状の固定建家（丸４０）を      配置し、その全荷重は前記ポール一点で支える。
（ロ）前記、固定建家の外周に円形状のレールを２本敷設し、複数の動輪付き回転移動建      家（丸４１）をレール上に配置する。
本発明は、以上の構成よりなるエコ回転住宅である。
【発明の効果】
【０００６】（イ）建家の床下の土地は光を浴びずに、死んだ儘であったが、建家を回転させる事によ      り、死んでいた土地は脚光を浴び、緑地帯として確保でき野菜等の栽培で自給自足      が達成出来る。
（ロ）日本は地震王国と言われているが、回転建家は地面から遊離し、固定建家は１本の      ポールに荷重を集中させる事により、固定建家は強固なものに為り、地震王国から      脱却出来るのである。
【図面の簡単な説明】
【０００７】
【図１】本発明に関する、建家の設置箇所の平面（イ）・断面（ロ）図である。
【図２】本発明に関する、建家下部の平面（イ）・断面（ロ）図である。
【図３】本発明に関する、建家上部の平面（イ）・断面（ロ）図である。
【図４】本発明に関する、建家立面・透視図である。
【図５】本発明に関する、建家立面・展開図である。
【図６】本発明に関する、ライフライン平面（イ）・系統（ロ）図である。
【図７】本発明に関する、ライフライン系統・立面図である。
【発明を実施するための形態】
【０００８】以下、本発明を実施する為の最良の形態に付いて説明する。
（イ）円形状（図１）の敷地は擂り鉢状に造成し、防水シート（丸１２）を敷き詰め、回      転建家（丸４１）の屋根は内流れの屋根とし、雨水及び排水は中心に集め、敷地内      の水は再生利用するとし、浄水装置は多目的ポール（丸１）内に付設したものであ      る。
（ロ）固定建家（丸４０）の外周に円形のレール（丸３・４）を敷設し、多目的ルーム（      丸２１）に設置された駆動装置で、個室建家を回転移動させるものである。
（ハ）回転建家の敷地は緑地帯（丸２）として造成し、無農薬の野菜等を栽培し、自給自      足を目指すものである。
（ニ）中心部の多目的ポール（丸１）は、地中深く打ち込んだパイルに加重を預け、固定      建家（丸４０）の荷重をポールに集中させ、より強固な耐震構造を目指すものであ      る。
（ホ）前記、ポールの最上部に２次高架水槽（丸５０）を設け、再生された水の配水装置      とするものである。
（ヘ）個室建家を回転させる事により、太陽熱パネル（丸４３）や太陽熱温水器（丸４４      ）の効率を最大限に発揮出来と共に、各室の環境が平等化（日照・景観）され、よ      り一層の生活環境が生まれるのである。
（ト）固定建家（丸４０）の敷地はコンクリート敷きとし、緑地帯（丸２）の水は集水及      び配線ピット（丸６）に自然流入させ、１次揚水ポンプ（丸５１）にて屋上の１次      屋上水槽（丸４９）へ送水し、太陽光殺菌の役目を果たすものである。
（チ）浄水された水は２次地下貯水槽（丸９）に貯水し、２次揚水ポンプ（丸５２）にて      ２次高架水槽（丸５０）に送水するものである。
（リ）回転建家の庇部分に固定キャットウオーク（丸４８）を設置し、設備点検を容易に      する共に、太陽浴療養に寄与するものである。
（ヌ）水資源再利用の構図は、多目的ポール（丸１）の内部に、濾過剤（丸８８）を封入      し、水処理設備の柱とするものとし、濾過された雨水及び使用後の雑水は、２次水      （バス用水・洗面用水・厨房の処理水）として再利用するものである。
（ル）濾過されない１次水はポンプアップして、トイレ用水・散水等に使用し、再利用し      た２次水は再び集め、フィールドバックしリサイクル利用するものである。
（オ）環境問題の対処は、現在の状況では太陽熱パネル（丸４３）の採用は当然視される      が、設置した建家が回転させる為により一層の効率アップが図れるのである。
（ワ）水回りルーム（丸２２）に設置した太陽熱温水器（丸４４）は主に２次水を使用し      、より一層のＣＯ２の削減を目指すものである。
（カ）地震王国と言われる住宅環境への対応は、固定建家（丸４０）は多目的ポール（丸      １）に加重を集中させると共に、取り巻く回転建家（丸４１）は、地表から完全に      遊離させている事で、地震の被害から免れる事が出来るのである。
（ヨ）ダイニングルーム（丸２７）の採光は、１次屋上水槽（丸４９）を透して自然光線      を採り入れると共に、ＥＬＤ発光体等を採用する事で、消費電力や発熱を少なくす      る事が出来、より一層の省力化が図れるのである。
本発明は、以上の構成にて為る、エコ回転住宅である。
本発明は、以上の様な構造である。
【符号の説明】
【０００９】図１は建家の設置箇所の平面（イ）・断面（ロ）図であり、図２は建家下部の平面（イ）・断面（ロ）図であり、図３は建家上部の平面（イ）・断面（ロ）図であり、図４は建家立面・透視図であり、図５は建家立面・展開図であり、図６はライフライン平面（イ）・系統（ロ）図であり、図７はライフライン系統・立面図である。
丸１  多目的ポール
丸２  緑地帯
丸３  内周レール
丸４  外周レール
丸５  駆動用車輪
丸６  集水及び配線ピット
丸７  フェンス基礎
丸８  石畳エントラス
丸９  ２次水地下貯水槽
丸１０  床下面
丸１１  ＧＬ面
丸１２  防水シート
丸１３  排煙＆照明ＢＯＸ
丸２１  多目的ルーム
丸２２  水回りルーム
丸２３  ゲストルーム
丸２４  寝居ルーム１
丸２５  寝居ルーム２
丸２６  寝居ルーム３
丸２７  ダイニングルーム
丸２８  回転床
丸２９  固定床
丸３０  フェンス用ポール
丸３１  フェンス
丸３２  強化ガラス屋根
丸３３  庇兼花壇
丸３４  空調機台
丸３５  椅子卓
丸３６  座卓
丸４０  固定建家
丸４１  移動建家
丸４２  吹抜け
丸４３  太陽熱パネル
丸４４  太陽熱温水器
丸４５  透明シート
丸４６  固定建家梁
丸４７  固定屋根吊線
丸４８  キャットウォーク
丸４９  １次水屋上水槽
丸５０  ２次水高架水槽
丸５１  １次水揚水ポンプ
丸５２  ２次水揚水ポンプ
丸６１  コンクリート面
丸６２  回転用移動レール
丸６３  駆動用前輪
丸６４  駆動用後輪
丸６５  玄関＆エントラス屋根
丸７１  量水器
丸７２  上水道カラン
丸７３  ２次水カラン
丸７４  温水カラン
丸７５  ミキシングカラン
丸７６  散水栓（雑用水）
丸７７  上水道ライン
丸７８  １次水ライン
丸７９  ２次水ライン
丸８０  温水ライン
丸８１  下水道ライン
丸８２  雨水＆雑水導入管
丸８３  ポール浄水装置
丸８４  電気温水器
丸８５  汚物受け升
丸８６  市側止水栓
丸８７  汚物処理槽
丸８８  濾過材
【図１】
2012158967.tif 000003
【図２】
2012158967.tif 000004
【図３】
2012158967.tif 000005
【図４】
2012158967.tif 000006
【図５】
2012158967.tif 000007
【図６】
2012158967.tif 000008
【図７】
2012158967.tif 000009